(57)【要約】【課題】  立体眼底像を好適に観察可能な立体眼底観察装置及び小型化、低コスト化が図られた立体眼底撮影装置を提供する。【解決手段】  二孔絞り４０の左右の開口４０ａ、４０ｂを通過した光束は、光束分割プリズム３３により左眼用及び右眼用観察光束にそれぞれ分割される。左の開口４０ａ（右の開口４０ｂ）を通過した光束はその右（左）眼用観察光束のみが出射される。絞り遮蔽手段２３による左右の開口４０ａ、４０ｂの遮蔽／開放の切り換えと、観察光束遮蔽手段３４による左眼用／右眼用観察光束の遮蔽／開放の切り換えとは連動されている。眼底撮影時には、絞り遮蔽手段２３により開口４０ａ、４０ｂの一方を遮蔽し、他方の開口を通過した光束により撮影を行う。遮蔽する開口を左右切り換えて上記一方の開口を通過した光束により撮影を行う。【選択図】      図１
2005095474.tif 000002
【特許請求の範囲】
【請求項１】
被検眼の眼底を観察するための照明光束を照射する照明光学系と、
前記照明光学系からの前記照明光束の前記眼底による反射光束を通過させる左右の開口が形成された二孔絞りと、前記被検眼に対峙され、前記二孔絞りとの間に焦点を形成する対物レンズと、前記二孔絞りの前記左右の開口をそれぞれ通過して形成される観察光束を左眼用観察光束と右眼用観察光束とに分割する観察光束分割手段とを含む観察光学系と、
を有し、前記観察光束分割手段により分割されてなる前記左眼用及び右眼用観察光束を検者の左眼及び右眼にそれぞれ導くことにより前記眼底の立体観察を可能とする立体眼底観察装置において、
前記観察光学系は、前記二孔絞りの前記左の開口を通過した前記観察光束が前記観察光束分割手段により分割されてなる前記左眼用観察光束を遮蔽し、かつ、前記右の開口を通過した前記観察光束が前記観察光束分割手段により分割されてなる前記右眼用観察光束を遮蔽する観察光束遮蔽手段を備えることを特徴とする立体眼底観察装置。
【請求項２】
前記観察光学系は、前記二孔絞りの前記開口を左右交互に切り換えて遮蔽し、前記観察光束を左右交互に出射させる絞り遮蔽手段を更に有し、
前記観察光束遮蔽手段は、前記絞り遮蔽手段により左右交互に出射される前記観察光束の前記左眼用及び右眼用観察光束を、前記絞り遮蔽手段による前記観察光束の左右の切り換えに同期して交互に遮蔽することを特徴とする請求項１記載の立体眼底観察装置。
【請求項３】
前記絞り遮蔽手段及び／又は前記観察光束遮蔽手段は、外周端部に前記観察光束を通過させるための複数の切欠が等間隔で形成された円板状の遮蔽板と、前記遮蔽板を一定の速度で回転させて前記切欠を前記観察光束の光路上に一定の時間間隔毎に配置させることにより前記観察光束を断続的に出射させるよう制御される駆動手段とを含むチョッパー機構からなることを特徴とする請求項２記載の立体眼底観察装置。
【請求項４】
前記観察光学系は、前記二孔絞りの前記左右の開口の直前に配置され、互いに直交する偏光軸を有する左右一対の第１の偏光フィルターを有し、
前記観察光束遮蔽手段は、前記観察光束分割手段により分割されてなる前記左眼用及び右眼用観察光束の光路上に配置され、互いに直交する偏光軸を有する左右一対の第２の偏光フィルターからなり、
左の前記第１の偏光フィルターの偏光軸と右の前記第２の偏光フィルターの偏光軸とは平行に配置され、かつ、右の前記第１の偏光フィルターの偏光軸と左の前記第２の偏光フィルターの偏光軸とは平行に配置されていることを特徴とする請求項１記載の立体眼底観察装置。
【請求項５】
被検眼の眼底を撮影するための照明光束を照射する照明光学系と、
前記照明光学系からの前記照明光束の前記眼底による反射光束を通過させる左右の開口が形成された二孔絞りと、前記左右の開口をそれぞれ通過して形成される撮影光束を受光する撮影媒体とを含む撮影光学系と、
を有する立体眼底撮影装置において、
前記撮影光学系は、前記二孔絞りの前記開口を左右切り換えて遮蔽することにより、前記撮影光束を左右切り換えて出射させる絞り遮蔽手段を備えることを特徴とする立体眼底撮影装置。
【請求項６】
前記絞り遮蔽手段は、外周端部に前記撮影光束を通過させるための切欠が形成された円板状の遮蔽板と、前記二孔絞りの前記左右の開口の直前に前記切欠が切り換え配置されるよう前記遮蔽板を回動させることにより、前記撮影光束を左右切り換えて出射させる駆動手段とを含むチョッパー機構からなることを特徴とする請求項５記載の立体眼底撮影装置。
【発明の詳細な説明】
【技術分野】
【０００１】
本発明は、被検眼の眼底を立体的に観察するために用いられる立体眼底観察装置、及び眼底の立体像を撮影するために用いられる立体眼底撮影装置に関するものである。なお、本発明に係る立体眼底撮影装置は、例えば眼底カメラのように立体眼底観察装置としての機能を具備しているのが通常である。
【背景技術】
【０００２】
眼科分野において被検眼の眼底を観察・撮影するための眼底カメラ等の装置が従来から広く用いられている。近年では、眼底の状態を詳細に把握するために観察・撮影を立体的に行えるよう構成された装置も用いられている。このような装置としては、下記の特許文献１、２に開示されたものが公知となっている。
【０００３】
特許文献１には、次のような発明が開示されている。「対物レンズと、前記対物レンズを通して被検眼を照明する照明光源と、前記対物レンズに対し、被検眼の瞳と共役の位置に置かれた光束分割器とからなり、前記対物レンズを通過した光束をその光軸を通る垂直面に沿って２分割して立体観察するようになった立体視用眼底診断装置において、前記光束分割器の直前に対物レンズの光軸を通る前記垂直面に対し、対称に一対の円形開口絞りを配置し、かつその開口中心間隔を可変として立体観察基線長を任意に設定できるようにした眼底診断装置。」
【０００４】
また、特許文献２には、「眼底を照明する照明光学系と、眼底からの反射光束を二分する二孔絞りと、二孔絞りにより分割された左右の光束を入れ替える反射手段と、フォーカシングレンズを持ち分割された光束をそれぞれ結像する一対の観察撮影光学系と、被検眼眼底を所定の位置に導くために固視目標を前記照明光学系の一部を介して眼底照明エリア外に投影する固視目標投影手段と、前記観察撮影光学系のフォーカシングレンズの移動に連動させて固視目標を光軸方向に移動する移動手段と、を設けたことを特徴とする立体眼底カメラ。」
【０００５】
【特許文献１】特公昭５６−０２００１４号公報（〔請求項〕）
【特許文献２】特許第２９７７５９８号（〔請求項〕）
【発明の開示】
【発明が解決しようとする課題】
【０００６】
これら文献に記載された装置は、被検眼の瞳孔面と光学的に共役な位置に配置された二孔絞りと光束分割プリズムとによって眼底からの反射光束を２つに分割し、２分された反射光束を左右独立の撮影光学系にそれぞれ導くことにより立体像を撮影するよう構成されているため、撮影光学系を左右別個に設ける必要があり、装置は大型化、高コスト化してしまう。
【０００７】
また、特許文献１記載の装置は、眼底を立体観察するための双眼ファインダーを付属して用いられるのが通常であるが、観察される眼底像が倒像となってしまうため検者はしばしば混乱を生じてしまい、カルテへの眼底所見の記載ミスや、固視灯を用いて被検眼を誘導する際の操作ミスを引き起こしてしまう場合があった。
【０００８】
一方、特許文献２記載の装置では眼底像を正立像として観察することができるが、左右の光束を入れ替える反射手段（光束分割プリズム）を二孔絞りの後方に配置する必要がある。この反射手段は、その作用を実現するために設計、組み立て、調整を高精度で行うことが要求されるため、コスト面や製造面において不都合が生じることは否めない。
【０００９】
本発明は、このような事情に鑑みてなされたもので、被検眼の眼底の立体像を好適に観察可能な立体眼底観察装置、及び装置の大型化や高コスト化を招かずに好適な眼底撮影が可能な立体眼底撮影装置を提供することを目的としている。
【課題を解決するための手段】
【００１０】
上記目的を達成するために、請求項１に記載の発明は、被検眼の眼底を観察するための照明光束を照射する照明光学系と、前記照明光学系からの前記照明光束の前記眼底による反射光束を通過させる左右の開口が形成された二孔絞りと、前記被検眼に対峙され、前記二孔絞りとの間に焦点を形成する対物レンズと、前記二孔絞りの前記左右の開口をそれぞれ通過して形成される観察光束を左眼用観察光束と右眼用観察光束とに分割する観察光束分割手段とを含む観察光学系と、を有し、前記観察光束分割手段により分割されてなる前記左眼用及び右眼用観察光束を検者の左眼及び右眼にそれぞれ導くことにより前記眼底の立体観察を可能とする立体眼底観察装置であって、前記観察光学系は、前記二孔絞りの前記左の開口を通過した前記観察光束が前記観察光束分割手段により分割されてなる前記左眼用観察光束を遮蔽し、かつ、前記右の開口を通過した前記観察光束が前記観察光束分割手段により分割されてなる前記右眼用観察光束を遮蔽する観察光束遮蔽手段を備えることを特徴とする。
【００１１】
また、上記目的を達成するために、請求項２に記載の発明は、請求項１記載の立体眼底観察装置であって、前記観察光学系は、前記二孔絞りの前記開口を左右交互に切り換えて遮蔽し、前記観察光束を左右交互に出射させる絞り遮蔽手段を更に有し、前記観察光束遮蔽手段は、前記絞り遮蔽手段により左右交互に出射される前記観察光束の前記左眼用及び右眼用観察光束を、前記絞り遮蔽手段による前記観察光束の左右の切り換えに同期して交互に遮蔽することを特徴とする。
【００１２】
また、上記目的を達成するために、請求項３に記載の発明は、請求項２記載の立体眼底観察装置であって、前記絞り遮蔽手段及び／又は前記観察光束遮蔽手段は、外周端部に前記観察光束を通過させるための複数の切欠が等間隔で形成された円板状の遮蔽板と、前記遮蔽板を一定の速度で回転させて前記切欠を前記観察光束の光路上に一定の時間間隔毎に配置させることにより前記観察光束を断続的に出射させるよう制御される駆動手段と、を含むチョッパー機構からなることを特徴とする。
【００１３】
また、上記目的を達成するために、請求項４に記載の発明は、請求項１記載の立体眼底観察装置であって、前記観察光学系は、前記二孔絞りの前記左右の開口の直前に配置され、互いに直交する偏光軸を有する左右一対の第１の偏光フィルターを有し、前記観察光束遮蔽手段は、前記観察光束分割手段により分割されてなる前記左眼用及び右眼用観察光束の光路上に配置され、互いに直交する偏光軸を有する左右一対の第２の偏光フィルターからなり、左の前記第１の偏光フィルターの偏光軸と右の前記第２の偏光フィルターの偏光軸とは平行に配置され、かつ、右の前記第１の偏光フィルターの偏光軸と左の前記第２の偏光フィルターの偏光軸とは平行に配置されていることを特徴とする。
【００１４】
また、上記目的を達成するために、請求項５に記載の発明は、被検眼の眼底を撮影するための照明光束を照射する照明光学系と、前記照明光学系からの前記照明光束の前記眼底による反射光束を通過させる左右の開口が形成された二孔絞りと、前記左右の開口をそれぞれ通過して形成される撮影光束を受光する撮影媒体とを含む撮影光学系と、を有する立体眼底撮影装置において、前記撮影光学系は、前記二孔絞りの前記開口を左右切り換えて遮蔽することにより、前記撮影光束を左右切り換えて出射させる絞り遮蔽手段を備えることを特徴とする。
【００１５】
また、上記目的を達成するために、請求項６に記載の発明は、請求項５記載の立体眼底撮影装置であって、前記絞り遮蔽手段は、外周端部に前記撮影光束を通過させるための切欠が形成された円板状の遮蔽板と、前記二孔絞りの前記左右の開口の直前に前記切欠が切り換え配置されるよう前記遮蔽板を回動させることにより、前記撮影光束を左右切り換えて出射させる駆動手段とを含むチョッパー機構からなることを特徴とする。
【発明の効果】
【００１６】
請求項１記載の立体眼底観察装置によれば、観察光束遮蔽手段により、二孔絞りの左の開口を通過した観察光束は検者の右眼のみに投射され、かつ、右の開口を通過した観察光束は検者の左眼のみに投影される。ここで、照明光束の眼底による反射光束は対物レンズの焦点において左右が逆転されるので、両眼視により正確な凹凸状態の眼底像を観察するためには、左の開口を通過した観察光束は検者の右眼によって観察されるべきであり、右の開口を通過した観察光束は検者の左眼によって観察されるべきである。したがって、本発明によれば、検者は正確な凹凸状態の好適な眼底像を観察することが可能となる。
【００１７】
請求項２に記載の立体眼底観察装置によれば、絞り遮蔽手段と観察光束遮蔽手段とが連動して、左の開口を通過した観察光束と右の開口を通過した観察光束とが交互に検者に投射される。このとき、左右の切り換えを、眼底像にちらつきが生じない程度の早さ、例えば毎秒６０回程度あるいはそれ以上で行うことにより、検者はあたかも両眼で同時に見ているような状態で眼底像を観察することが可能となる。
【００１８】
請求項３に記載の立体眼底観察装置は、絞り遮蔽手段及び／又は観察光束遮蔽手段の具体的構成例を示している。請求項３に記載の構成によれば、外周端部に切欠が等間隔に形成された略歯車形状の遮蔽板を一定の速度で回転させることにより、二孔絞りの開口を通過する観察光束の遮蔽／開放の交互の切り換えや、左眼用及び右眼用観察光束の遮蔽／開放の切り換えを容易に行うことができる。
【００１９】
請求項４に記載の立体眼底観察装置によれば、絞り遮蔽手段の左の開口を通過した観察光束は、左の第１の偏光フィルターにより偏光され、左眼用及び右眼用観察光束に分割されるが、左眼用観察光束を偏光する左の第２の偏光フィルターの偏光軸は左の第１の偏光フィルターの偏光軸と直交しているので、左眼用観察光束は遮蔽される。したがって、左の開口を通過した観察光束は、検者の右眼にのみ投射されることとなる。同様に、右の開口を通過した観察光束は、検者の左眼にのみ投射されることとなる。これにより、検者は眼底観察を好適に行うことができる。また、本発明によれば、チョッパー機構における駆動手段や液晶シャッターを駆動する駆動回路を設ける必要がないため、構成が容易となる。
【００２０】
請求項５に記載の立体眼底撮影装置によれば、二孔絞りの左右の開口を通過する撮影光束を交互に出射させることができるので、撮影光学系を左右独立して設ける必要がない。したがって、装置の小型化、低コスト化を図ることができる。
【００２１】
請求項６に記載の立体眼底撮影装置によれば、請求項３に示す構成と同様に、左右の開口を通過する観察光束の切り換えを容易に行うことができる。
【発明を実施するための最良の形態】
【００２２】
以下、本発明に係る眼底観察装置及び眼底撮影装置の一実施形態である眼底カメラについて、図面を参照しながら説明する。
【００２３】
［光学系の構成］
まず、本実施形態の眼底カメラが備える光学系の構成について図１〜図５を参照して説明する。図１は当該眼底カメラの光学系の概略側面図、図２は当該光学系の撮影光学系に設けられた穴あきミラー及び遮蔽手段の具体的構成例、図３は当該遮蔽手段の動作形態を説明するための概略正面図、図４は当該光学系の観察光学系の具体的構成例及びその動作形態を示す概略側面図及び概略正面図、そして図５は当該観察光学系の具体的構成例及びその動作形態を示す概略上面図及び概略正面図をそれぞれ示している。なお、個々で「正面」とは、検者側から見たときの方向を示している。
【００２４】
本実施形態の眼底カメラは、被検眼Ｅの眼底を照明する照明光束を照射するための各種光学素子を含む照明光学系１０と、被検眼Ｅの眼底像を撮影するための各種光学素子を含む撮影光学系２０と、被検眼Ｅの眼底像を観察するための各種光学素子を含む観察光学系３０とを備えている。
【００２５】
〔照明光学系〕
照明光学系１０は、図１に示すように、観察用照明光束を発するタングステンランプ等からなる照明用ランプ１１と、撮影用照明光束をフラッシュ発光する撮影用キセノンランプ１２と、照明用ランプ１１により発せられた観察用照明光束を集光するコンデンサーレンズ１３と、撮影用キセノンランプ１２により発せられた撮影用照明光束を集光するコンデンサーレンズ１４と、観察用及び撮影用照明光束の光路を合成する斜設ハーフミラー１５と、被検眼Ｅの瞳Ｐと共役に配置され、後述する遮光領域が形成された照明絞り１６と、リレーレンズ１７と、反射ミラー１８と、コンデンサーレンズ１９とを含んで構成されている。なお、図１において、照明光束の光路は点線で示されている。
【００２６】
〔撮影光学系〕
次に、図１〜図３を参照して撮影光学系２０について説明する。撮影光学系２０は、眼底写真撮影用のフィルム２０Ａと、眼底像をモニター表示するための受像素子であるＣＣＤ２０Ｂとを撮影媒体として備えている。更に、撮影光学系２０には、被検眼Ｅに対峙される対物レンズ２１と、後述する二孔絞り４０が設けられた穴あきミラー２２と、被検眼Ｅの眼底からの反射光束を遮蔽する遮蔽手段２３と、ピント合わせを行うための合焦レンズ２４と、クイックリターンミラー２５と、眼底からの反射光束をフィルム２０Ａに結像させる結像レンズ２６と、クイックリターンミラー２７と、被検眼Ｅの眼底と共役に配置された焦点板２８と、眼底からの反射光束をＣＣＤ２０Ｂに結像させるＴＶレンズ２９とが設けられている。なお、図１において、眼底からの反射光束の光路は実線で示されている。また、対物レンズ２１は、穴あきミラー２２との間に焦点Ｆを形成する。
【００２７】
穴あきミラー２２は、被検眼Ｅの瞳Ｐと共役な位置に、撮影光学系２０の光軸（撮影光軸）Ｏに対して斜設されており、照明光学系１０からの照明光束の光路と、この照明光束の被検眼Ｅの眼底による反射光束の光路とを合成するようになっている。つまり、照明光学系１０からの照明光束は、穴あきミラー２２によって被検眼Ｅ方向に反射され、対物レンズ２１を経由して被検眼Ｅの眼底を照明するよう構成されている。
【００２８】
図２には、穴あきミラー２２及び遮蔽手段２３の構成が拡大されて示されている。また、図３には、遮蔽手段２３の動作形態が示されている。ここで、図３の各図に示すように、遮蔽手段２３は回動可能に構成されており、図３（Ａ）、図３（Ｂ）及び図３（Ｃ）は当該回動の形態を示している。なお、遮蔽手段２３は、同図中反時計回りに回転しているが、その回転方向は時計回り方向であってもよい。
【００２９】
図２に示すように、穴あきミラー２２の中心部には上記反射光束を通過させるための開口部２２ａが形成されている。更に、この穴あきミラー２２の開口部２２ａには二孔絞り４０が設けられている。二孔絞り４０には、図３に示すように左右に配置された２つの開口４０ａ、４０ｂが形成されている。したがって、照明光束の被検眼Ｅの眼底による反射光束は、二孔絞り４０の開口４０ａを通過した光束と開口４０ｂを通過した光束とからなる一対の光束とされる。なお、以下、当該反射光束を眼底撮影に用いる場合には撮影光束と呼び、眼底観察に用いる場合には観察光束と呼ぶこととする。）
【００３０】
ここで、図示は省略するが、照明光学系１０の照明絞り１６の中心部には遮光領域が形成されている。照明光束は、この遮光領域の周囲の通過領域を通過して被検眼Ｅを照明するようになっている。照明絞り１６の遮光領域は、照明光束の角膜反射光が二孔絞り４０の開口４０ａ、４０ｂを通過しない程度の大きさに形成されており、角膜反射光によるフレアーやゴーストの介入を防止するよう作用するものである（本出願人による特公昭５６−０２００１４号公報を参照）。
【００３１】
遮蔽手段２３は、図３の各図に示すように、その外周端部に矩形状の切欠２３ａが複数かつ等間隔に形成された遮光板である。換言すれば、遮蔽手段２３の外周端部には、複数かつ等間隔で矩形状に突出する遮光部２３ｂが形成されている。遮蔽手段２３には、これを回動させるためのモータ５０（駆動手段）が接続されている。遮蔽手段２３は、モータ５０によって回動されることにより、切欠２３ａと遮光部２３ｂとを交代的に二孔絞り４０の開口４０ａ、４０ｂの直前に配置させるようになっている。このとき、各開口４０ａ、４０ｂを通過する光束は、その直前に切欠２３ａが配置されたときはこれを通過し、遮光部２３ｂが配置されたときはこれに遮蔽されるので、それぞれ断続的に出射されることとなる。遮蔽手段２３は、図３（Ａ）及び図３（Ｃ）に示すように上記一対の光束の双方を遮蔽するか、又は図３（Ｂ）に示すようにその一方の光束のみを交互に通過させるよう構成されたチョッパー機構である。
【００３２】
合焦レンズ２４は、図示しないパルスモータ等の駆動手段によって撮影光軸Ｏ方向に変位可能に構成されており、後述の制御手段がこの変位量を調整制御することによって眼底像のピント合わせを行うようになっている。
【００３３】
クイックリターンミラー２５は、被検眼Ｅの眼底の観察を行う場合と撮影を行う場合とを切り換えるための動作を行う。具体的には、クイックリターンミラー２５は、図示しないモータ等の駆動手段により、撮影光軸Ｏ上に斜設された状態と撮影光軸Ｏ上から退避された状態とを切り換え可能に構成されている。被検眼Ｅの眼底を観察する場合、クイックリターンミラー２５は撮影光軸Ｏ上に斜設状態とされ、観察光束を観察光学系３０に導く。一方、眼底像を撮影する場合には、クイックリターンミラー２５は撮影光軸Ｏ上から退避され、フィルム２０Ａ又はＣＣＤ２０Ｂに撮影光束を導く。なお、クイックリターンミラー２５の配置状態の切り換えは、後述の制御手段の制御に基づき実行される。
【００３４】
なお、本実施形態では、眼底撮影時にはクイックリターンミラー２５を撮影光軸Ｏから退避させて撮影光束を直進させるとともに、眼底観察時にはクイックリターンミラー２５を撮影光軸Ｏ上に配置させて観察光束を上方に反射させるよう構成されているが、光学系の配置に応じてこれとは逆の構成としてもよい。また、一方の光束を直進させ、他方の光束を下方に反射させるようにしてもよい。あるいは、撮影光束及び観察光束の双方を反射させそれぞれの光学系に導くような構成としてもよい。
【００３５】
また、クイックリターンミラー２７は、眼底像をフィルム２０Ａにより撮影するか、又はＣＣＤ２０Ｂにより撮影するかを切り換えるための動作を行う。そのために、クイックリターンミラー２７は、図示しないモータ等の駆動手段により、撮影光軸Ｏ上に斜設された状態と撮影光軸Ｏ上から退避された状態とが切り換え可能とされており、フィルム２０Ａによる撮影では後者の状態に配置され、ＣＣＤ２０Ｂによる撮影では前者の状態に配置されるよう後述の制御手段によって制御される。
【００３６】
なお、撮影／観察を切り換えるクイックリターンミラー２５と同様に、クイックリターンミラー２７による撮影光束の反射方向は、フィルム２０Ａ及びＣＣＤ２０Ｂの配置に応じて適宜設計することが可能である。
【００３７】
〔観察光学系〕
続いて、図１、図４及び図５を参照して観察光学系３０について説明する。観察光学系３０は、図１に示すように、クイックリターンミラー２５により垂直方向に反射された観察光束を結像させる結像レンズ３１と、当該観察光束を垂直方向から検者方向に反射させるプリズム３２と、反射された観察光束を左右の観察光束に分割する光束分割プリズム３３と、分割された左右の観察光束をそれぞれ遮蔽／開放するための遮蔽手段３４と、検者の瞳孔間距離（ＰＤ）に応じて左右の観察光束を水平方向に反射するプリズム３５と、被検眼Ｅの眼底と共役に配置された焦点板３６と、検者の眼Ｅ′に対峙される接眼レンズ３７とを備えている。なお、観察光学系３０は、対物レンズ２１、穴あきミラー２２、二孔絞り４０、遮蔽手段２３、合焦レンズ２４及びクイックリターンミラー２５を撮影光学系２０と共有した構成とされている。また、図１において、観察光学系３０により案内される眼底からの反射光束は実線で示されている。
【００３８】
図５に示すように、プリズム３５（３５Ｌ、３５Ｒ）、焦点板３６（３６Ｌ、３６Ｒ）及び接眼レンズ３７（３７Ｌ、３７Ｒ）は、それぞれ左（Ｌ）右（Ｒ）一対設けられ、光束分割プリズム３３により分割された左右の観察光束を検者の左眼Ｅ′Ｌ及び右眼Ｅ′Ｒにそれぞれ導くよう構成されている。この左右一対の光学系は検者用の両眼視ファインダーを構成しており、左右の各ファインダーの間隔を調整可能とされている。ここで、観察光束分割プリズム３３は本発明にいう観察光束分割手段を構成し、これにより左右に分割された観察光束は本発明の左眼用観察光束及び右眼用観察光束をそれぞれ構成している。
【００３９】
遮蔽手段３４は、例えば図４（Ａ）に示す概略側面図にあるように、撮影光学系２０の遮蔽手段２３と同様のチョッパー機構として構成することができる。すなわち、遮蔽手段３４は、図４（Ｂ）に示すように、その外周端部に２つの切欠３４ａ及び２つの遮光部３４ｂが形成された遮光板として構成され、モータ６０（駆動手段）によって回転駆動されるようになっている。遮蔽手段３４は、モータ６０により回転されることで、左右の観察光束が光束分割プリズム３３から出射される左右の出射端３３Ｌ、３３Ｒの直前に、切欠３４ａと遮光部３４ｂとを交互に配置させる。したがって、左の観察光束の出射端３３Ｌと、右の観察光束の出射端３３Ｒとは交互に遮蔽され、左右の光束がそれぞれ交互に検者の眼Ｅ′に導かれるようになっている。つまり、遮蔽手段３４は、検者の左右の眼Ｅ′Ｌ、Ｅ′Ｒの視界を交互に遮蔽状態／開放状態とするよう作用する。
【００４０】
以下、撮影光学系２０の遮蔽手段２３と観察光学系３０の遮蔽手段３４とを判別するために、前者を絞り遮蔽手段２３と称し、後者を観察光束遮蔽手段３４と称することとする。また、絞り遮蔽手段２３とこれを駆動するモータ５０とを含めて絞り遮蔽手段と称することもある。同様に、観察光束遮蔽手段３４とこれを駆動するモータ６０とを含めて観察光束遮蔽手段と称することもある。
【００４１】
［制御系の構成］
次に、図６を参照して、本実施形態の眼底カメラの制御系の構成について説明する。当該眼底カメラの各動作は、同図に示す制御手段１００によって制御される。この制御手段１００は、ＣＰＵ等の演算制御装置及びＲＡＭやＲＯＭ等の記憶装置を含んで構成されるマイクロコンピュータである。また、各種モータ等の駆動手段や照明光学系のランプに電源を供給するための電源回路など、眼底カメラの設計や構成に応じた各種の回路や装置が制御手段１００には設けられている。上記記憶装置のＲＯＭ等の不揮発性記憶装置には制御プログラムが格納されており、この制御プログラムをＣＰＵ等の演算制御装置がＲＡＭ等のメインメモリ上で展開することによって眼底カメラは動作される。また、制御手段１００は、検者による図示しない各種操作手段からの操作を受け付けるとともに、その操作に応じて制御プログラムを適宜実行する。
【００４２】
制御手段１００には、照明用ランプ１１、撮影用キセノンランプ１２、撮影光学系２０の絞り遮蔽手段２３を回転駆動するためのモータ５０、観察光学系３０の観察光束遮蔽手段３４を回転駆動するためのモータ６０、撮影光学系２０のＣＣＤ２０Ｂなどが接続されている。ここで、ＣＣＤ２０Ｂにより撮影された眼底像の画像データは、図１にも示すように、制御手段１００の制御に基づきフレームメモリ２００に保存され、モニター３００に送信されて画像表示を行えるよう構成されている。フレームメモリ２００及びモニター３００は、眼底カメラに設けられていてもよいし、眼底カメラとデータ通信可能なコンピュータ等の外部装置として設けられていてもよい。なお、モニター３００は、本発明にいう表示装置を構成している。
【００４３】
なお、公知な構成であるため制御系として図示することは省略するが、撮影光学系２０のクイックリターンミラー２５、２７を駆動するモータや、合焦レンズ２４を駆動するためのモータも制御手段１００に接続されており、その制御にしたがって動作するようになっている。
【００４４】
［使用形態］
以上のような光学系及び制御系の構成を有する眼底カメラによれば、次のような眼底観察及び眼底撮影を行うことができる。
【００４５】
〔眼底観察における使用形態〕
被検眼Ｅの眼底観察を行う場合、検者は眼底観察モードに切り換えるために所定の操作を行う。制御手段１００は、この操作を受けると、照明用ランプ１１に電源を供給して観察用照明光束を発生させるとともに、クイックリターンミラー２５を撮影光軸Ｏ上に配置させて観察光束を観察光学系３０側に導く。
【００４６】
また、制御手段１００は、モータ５０及びモータ６０に対して電源供給を行い、絞り遮蔽手段２３及び観察光束遮蔽手段３４が連動して回転されるよう制御を行う。具体的には、制御手段１００は、絞り遮蔽手段２３による二孔絞り４０の左右の開口４０ａ、４０ｂの遮蔽／開放の切り換えと、観察光束遮蔽手段３４による左右の観察光束の出射端３３Ｌ、３３Ｒの遮蔽／開放の切り換えとを同期させるように、モータ５０及びモータ６０の回転を制御する。
【００４７】
例えば、モータ５０は、毎秒８回転程度（あるいはそれ以上）の回転速度に制御される。このとき、絞り遮蔽手段２３には、図３に示すように切欠２３ａ及び遮光部２３ｂがそれぞれ８箇所ずつ形成されているので、開口４０ａ、４０ｂは毎秒６４回程度の早さで遮蔽／開放が切り換えられる。一方、モータ６０は、毎秒３２回転程度（あるいはそれ以上）の回転速度に制御される。すると、観察光束遮蔽手段３４には、図４及び図５に示すように切欠３４ａ及び遮光部３４ｂがそれぞれ２箇所ずつ形成されているので、出射端３３Ｌ、３３Ｒは、同様に毎秒６４回転程度の早さで遮蔽／開放が切り換えられる。
【００４８】
更に、制御手段１００は、図３に示す左の開口４０ａの開放／遮蔽と、図４（Ａ）に示す右の出射端３３Ｒの開放／遮蔽とを同期させ、かつ、右の開口４０ｂの開放／遮蔽と左の出射端３３Ｌの開放／遮蔽とを同期させるようにモータ５０、６０の回転を制御する。そのためには、例えばモータ５０、６０の回転の初期位置を調整制御すればよい。
【００４９】
ところで、撮影光学系２０の概略上面図である図７から分かるように、検者の左眼Ｅ′Ｌで観察されるべき観察光束ＰＬと、右眼Ｅ′Ｒで観察されるべき観察光束ＰＲは、対物レンズ２１の焦点Ｆによって左右が逆転されて二孔絞り４０の開口４０ａ、４０ｂを通過する。つまり、左眼Ｅ′Ｌで観察されるべき観察光束ＰＬは二孔絞り４０の右側の開口４０ｂを通過し、右眼Ｅ′Ｒで観察されるべき観察光束ＰＲは左側の開口４０ａを通過する。したがって、検者は、凹凸の状態（立体効果）が逆となった眼底像を認識することとなってしまう。
【００５０】
しかし、本実施形態の構成によれば、左側の開口４０ａ及び右側の出射端３３Ｒの開放状態を同期させ、かつ、右側の開口４０ｂ及び左側の出射端３３Ｌの開放状態を同期させることにより、検者の左眼Ｅ′Ｌで観察されるべき観察光束ＰＬを左眼Ｅ′Ｌにのみ導き、右眼Ｅ′Ｒで観察されるべき観察光束ＰＲを右眼Ｅ′Ｒにのみ導くことができるので、正確な凹凸状態の眼底像を観察することが可能となる。なお、焦点Ｆにより眼底像の上下が逆転されるが、焦点板３６Ｌ、３６Ｒの位置で左右の観察光束は再び焦点を結ぶので、再び上下が逆転されて正立像となる。したがって、検者は、正確な凹凸状態の眼底像を正立像として観察することができる。
【００５１】
また、二孔絞り４０の開口４０ａ、４０ｂの遮蔽／開放の切り換え、及び観察光束遮蔽手段３４による左右の観察光束の出射端３３Ｌ、３３Ｒの遮蔽／開放の切り換えが、毎秒６０回程度ないしはそれ以上の早さで連動制御されるので、検者の左右眼Ｅ′Ｌ、Ｅ′Ｒには毎秒６０回程度ないしはそれ以上の切り換え早さで交互に眼底像が投影される。左右眼Ｅ′Ｌ、Ｅ′Ｒへの眼底像の投射の切り換えがこのような高速で行われることにより、ちらつきの無い（又は少ない）状態で眼底像を観察することが可能となる。なお、検者の視覚能力等に応じて切り換えの早さを調整できるよう構成してもよい。
【００５２】
〔眼底撮影における使用形態〕
次に、被検眼Ｅの眼底撮影を行う場合における使用形態について説明する。検者が眼底撮影モードに切り換えるための所定の操作を行うと、制御手段１００はこの操作を受け、クイックリターンミラー２５を撮影光軸Ｏ上から退避させて撮影光束を直進させるとともに、フィルム撮影モードあるいはＣＣＤ撮影モードかの選択に応じてクイックリターンミラー２７の配置を切り換える。
【００５３】
（フィルム撮影モードの場合）
フィルム撮影モードが選択された場合、制御手段１００は、撮影光束を直進方向（フィルム２０Ａの方向）に導くためにクイックリターンミラー２７を撮影光軸Ｏ上から退避させる。更に制御手段１００は、モータ５０を制御して絞り遮蔽手段２３を回動変位させて、二孔絞り４０の開口４０ａ、４０ｂのいずれか一方（例えば４０ａ）を開放状態とし、キセノンランプ１２をフラッシュ発光させて右側の撮影光束ＰＲ（図７参照）をフィルム２０Ａに投影することにより右側の眼底像をフィルム撮影する。
【００５４】
また、フィルム撮影の後、制御手段１００の制御を基に二孔絞り４０の他方の開口４０ｂを開放状態とし、キセノンランプ１２をフラッシュ発光させて左側の撮影光束ＰＬを同一のフィルム２０Ａ上に投影することにより左側の眼底像を撮影するようにしてもよい。このように眼底の連続写真撮影を可能とすることにより、眼科医等が被検眼Ｅを診断するときや、これら２つの撮影画像をスキャナでコンピュータに取り込んで画像処理するなどして電子的に立体画像を形成する場合に好適である。
【００５５】
（ＣＣＤ撮影モードの場合）
一方、ＣＣＤ撮影モードが選択された場合、制御手段１００は、観察光束を下方（ＣＣＤ２０Ｂの方向）に導くためにクイックリターンミラー２７を撮影光軸Ｏ上に配置させる。更に制御手段１００は、モータ５０を制御して絞り遮蔽手段２３を回動変位させて、二孔絞り４０の開口４０ａ、４０ｂのいずれか一方、例えば開口４０ａ、を開放状態とし、キセノンランプ１２をフラッシュ発光させて眼底像をＣＣＤ２０Ｂで撮影する（第１の撮影処理）。ＣＣＤ２０Ｂで撮影された眼底像の画像データは、フレームメモリ２００に送信されて保存される。
【００５６】
続いて、制御手段１００は、モータ５０を制御して絞り遮蔽手段２３を回動変位させて、二孔絞り４０のもう一方の開口４０ｂを開放状態とし、キセノンランプ１２をフラッシュ発光させて眼底像をＣＣＤ２０Ｂで撮影する（第２の撮影処理）。この撮影された眼底像の画像データは、同様にフレームメモリ２００に送信されて保存される。
【００５７】
フレームメモリ２００に保存された第１及び第２の撮影処理による画像データは、モニター３００に送信され、２つの画像が並列表示される。なお、当該並列表示する際に、この２つの画像が、それぞれ、検者の左眼Ｅ′Ｌ、右眼Ｅ′Ｒにより観察される眼底像に相当するか識別させる識別子（例えば「Ｌ」、「Ｒ」など）を同時に表示することが好ましい。
【００５８】
ここで、第１の撮影処理では、二孔絞り４０の左側の開口４０ａを通過した撮影光束、つまり検者の右眼Ｅ′Ｒで観察されるべき光束ＰＲに基づく撮影が行われる。また、第２の撮影処理では、右側の開口４０ｂを通過した撮影光束、つまり検者の左眼Ｅ′Ｌで観察されるべき光束ＰＬに基づく撮影が行われる。したがって、このような使用形態によれば、検者の左右眼Ｅ′Ｌ、Ｅ′Ｒでそれぞれ単独に観察されるべき眼底像を各々撮影することができる。更に、撮影された２つの画像をモニター３００に並列表示することが可能である。また、これら画像を合成処理することによって、凹凸状態を的確に再現した眼底像を形成し表示することができる。
【００５９】
ここで、第１の撮影処理と第２の撮影処理との時間間隔を短く設定することができる。そのために、制御手段１００は、モータ５０を制御して絞り遮蔽手段２３を所定の速度で回転させ、二孔絞り４０の開口４０ａ、４０ｂそれぞれの開放状態に同期させてキセノンランプ１２を２回連続してフラッシュ発光させることによりＣＣＤ２０Ｂでの撮影を行ってもよい。ここで、絞り遮蔽手段２３の回転速度は、キセノンランプ１２の連続発光可能な時間間隔（例えば５０ｍｓ）に応じて決定することができる。これにより、撮影時間を短縮することが可能となる。なお、このような構成は、散瞳剤を用いて被検眼Ｅの瞳孔の運動が麻痺させて撮影を行う場合に有効である。
【００６０】
また、第１の撮影処理におけるフラッシュ照明により被検眼Ｅが縮瞳してしまった場合には、被検眼Ｅの瞳孔径が元に戻ってから撮影することが好ましい。
【００６１】
なお、本実施形態では、観察光学系３０の遮蔽手段（観察光束遮蔽手段）３４は左右一体に構成されているが、左右それぞれ独立に構成してもよい。この場合、制御手段１００は、絞り遮蔽手段２３の動作に応じて出射端３３Ｌ，３３Ｒを遮蔽／開放するよう左右の遮蔽手段をそれぞれ連動制御する。
【００６２】
以上のような眼底カメラによれば、眼底像を立体的に撮影するための撮影光学系を左右独立に設ける必要がなく、単独の撮影光学系によって立体眼底撮影を行うことができるので、装置の小型化、低コスト化を図ることが可能となる。また、眼底像を正立像として観察することができるので、眼底所見のカルテ記載時の記載ミスや、固視灯を用いて被検眼を誘導する際の操作の混乱を招くことがない。更に、上述の特許文献２に記載のような左右の光束を入れ替える反射手段を必要としないため、精度面の問題及びこれに起因するコスト面の問題も生じない。また、ＣＣＤ２０Ｂで撮影された２枚の画像が表示可能であるとともに、画像を合成処理して正確な凹凸状態の立体画像を形成することができるので、眼科医等による診断に好適に利用することが可能である。
【００６３】
［遮蔽手段の変形例］
以下、本発明に係る立体眼底観察装置及び立体眼底撮影装置に適用可能な変形例について説明する。
【００６４】
〔第１の変形例〕
まず、液晶シャッターを遮蔽手段として用いた第１の変形例を説明する。液晶シャッターは、光束を透過可能とする小型の液晶ディスプレイ（ＬＣＤ）からなり、制御手段１００の制御に基づいてディスプレイの所定位置に例えば黒色の領域を形成するよう構成されている。この黒色の領域は光束を遮蔽する遮光領域として作用する。したがって、光束は液晶シャッターの遮光領域で遮蔽されるとともに、それ以外の領域を透過することとなる。
【００６５】
液晶シャッターは、図１に示す光学系の遮蔽手段２３及び遮蔽手段３４として設けられる。遮蔽手段２３として配置される液晶シャッター（以下、液晶シャッター２３と呼ぶ）は、図示は省略するが、制御手段１００の制御に応じて、二孔絞り４０の開口４０ａ、４０ｂの直前にそれぞれ遮光領域を形成するよう構成されている。すなわち、液晶シャッター２３は、二孔絞り４０の開口４０ａ、４０ｂをそれぞれ通過する光束の遮蔽／開放を切り換え、これら光束をそれぞれ断続的に出射するよう作用する。
【００６６】
また、遮蔽手段３４として配置される液晶シャッターは、例えば図８に示すように左右独立の液晶シャッター３４Ｌ、３４Ｒからなる。液晶シャッター３４Ｌは、制御手段１００の制御に応じて光束分割プリズム３３における観察光束の出射端３３Ｌの直前に遮光領域を形成可能とされ、この左の観察光束の遮蔽／開放を切り換えるよう作用する。同様に、液晶シャッター３４Ｒは、制御手段１００の制御に応じて光束分割プリズム３３における観察光束の出射端３３Ｒの直前に遮光領域を形成可能とされ、この右の観察光束の遮蔽／開放を切り換えるよう作用する。なお、左右の液晶シャッターを一体的に構成し、出射端３３Ｌ、３３Ｒの直前にそれぞれ遮光領域を形成するよう構成してもよい。
【００６７】
このような液晶シャッターを用いた場合の使用形態について説明する。眼底観察を行う場合、制御手段１００は、液晶シャッター２３を制御して、左の開口４０ａの直前及び右の開口４０ｂの直前に遮光領域を交代的に形成する。この左右の遮光領域の切り換え早さは毎秒６０回程度あるいはそれ以上とする。更に制御手段１００は、（左側の）開口４０ａが開放状態であるときに液晶シャッター３４Ｒを開放状態とし、（右側の）開口４０ｂが開放状態であるときに液晶シャッター３４Ｌを開放状態とするよう制御する。これにより、正確な凹凸状態の眼底像を正立像として観察することが可能となる。なお、眼底撮影時には、上記実施形態の場合と同様に、液晶シャッター２３に左又は右の遮光領域を形成するよう制御される。
【００６８】
なお、遮蔽手段２３及び遮蔽手段３４は、両者ともに同様の構成を有している必要はない。すなわち、遮蔽手段２３をチョッパー機構とするとともに遮蔽手段３４を液晶シャッターとしたり、これとは逆の構成とすることができる。いずれのケースにおいても、制御手段１００による制御は上述の要領にしたがって行われる。
【００６９】
〔第２の変形例〕
次に、偏光フィルターを用いた第２の変形例について説明する。図９には、図１に示す遮蔽手段２３に代わって配置される偏光フィルター１２３が示されている。偏光フィルター１２３には、二孔絞り４０の開口４０ａの直前に配置された左偏光フィルター１２３Ｌと、開口４０ｂの直前に配置された右偏光フィルター１２３Ｒとが設けられている。なお、偏光フィルター１２３Ｌ、１２３Ｒを、開口４０ａ、４０ｂにそれぞれ直接に接合した構成や各開口内に設けた構成としてもよい。この偏光フィルター１２３Ｌ、１２３Ｒは、本発明にいう第１の偏光フィルターを構成している。
【００７０】
図１０には、図１に示す遮蔽手段３４として配置される左偏光フィルター１３４Ｌと右偏光フィルター１３４Ｒとが示されている。左偏光フィルター１３４Ｌは、光束分割プリズム３３における観察光束の出射端３３Ｌの直前に配置されている。また、右偏光フィルター１３４Ｒは、出射端３３Ｒの直前に配置されている。つまり、左偏光フィルター１３４Ｌ及び右偏光フィルター１３４Ｒは、図８に示す液晶シャッター３４Ｌ及び３４Ｒと同様の配置構成とされている。この偏光フィルター１３４Ｌ、１３４Ｒは、本発明にいう第２の偏光フィルターを構成するものである。
【００７１】
左偏光フィルター１２３Ｌと右偏光フィルター１２３Ｒとは、図９中の矢印で示す互いに直交する方向の偏光軸を有している。同様に、左偏光フィルター１３４Ｌと右偏光フィルター１３４Ｒとは、図１０中の矢印で示す互いに直交する方向の偏光軸を有している。ここで、左偏光フィルター１２３Ｌの偏光軸と左偏光フィルター１３４Ｌの偏光軸とは互いに直交する方向とされている。また、右偏光フィルター１２３Ｒの直交軸と右偏光フィルター１３４Ｒの偏光軸とは直交する方向とされている。したがって、左偏光フィルター１２３Ｌの偏光軸と右偏光フィルター１３４Ｒの偏光軸とは平行であり、右偏光フィルター１２３Ｒの偏光軸と左偏光フィルター１３４Ｌの偏光軸とは平行である。
【００７２】
このような構成の遮蔽手段によれば、二孔絞り４０の左の開口４０ａを通過した観察光束は、左偏光フィルター１２３Ｌによりその偏光軸方向に偏光され、光学系を経て光束分割プリズム３３の出射端３３Ｌ、３３Ｒからそれぞれ出射される。左の出射端３３Ｌから出射された観察光束は、左偏光フィルター１３４Ｌによりその偏光軸方向に偏光される。このとき、当該観察光束は、左偏光フィルター１３４Ｌの偏光軸と直交する方向に既に偏光されているので、左偏光フィルター１３４Ｌによって遮蔽されることとなる。一方、右の出射端３３Ｒから出射された観察光束は、右偏光フィルター１３４Ｒによって偏光されるが、当該フィルター１３４Ｒの偏光軸と左偏光フィルター１２３Ｌの偏光軸とは平行であるので、そのまま透過することとなる。
【００７３】
また、二孔絞り４０の右の開口４０ｂを通過した観察光束は、右偏光フィルター１２３Ｒによりその偏光軸方向に偏光され、光学系を経て光束分割プリズム３３の出射端３３Ｌ、３３Ｒからそれぞれ出射される。左の出射端３３Ｌから出射された観察光束は、左偏光フィルター１３４Ｌによりその偏光軸方向に偏光される。このとき、左偏光フィルター１３４Ｌの偏光軸と右偏光フィルター１２３Ｒの偏光軸とは平行であるので、観察光束はそのまま透過する。一方、右の出射端３３Ｒから出射された観察光束は、右偏光フィルター１３４Ｒの偏光軸と直交する方向に既に偏光されていることから、右偏光フィルター１３４Ｒによって遮蔽されることとなる。
【００７４】
偏光フィルターを用いた第２の変形例によれば、検者の左眼Ｅ′Ｌには二孔絞り４０の右側の開口４０ｂを通過した観察光束のみが入射されるとともに、検者の右眼Ｅ′Ｒには左側の開口４０ａを通過した観察光束のみが入射されるので、検者は、正確な凹凸状態の眼底像を正立像として観察することができる。更に、当該変形例によれば、制御手段１００による左右の遮蔽状態の切り換え制御を行う必要がなく、またチョッパー機構や液晶シャッターを駆動させるための手段を設ける必要もないため、装置の小型化、低コスト化を更に進めることが可能となる。また、遮蔽状態の切り換え制御が不要なことから、検者は通常の両眼同時観察を行うことができ、ちらつきのない好適な観察像を得ることが可能となる。
【００７５】
以上、被検眼Ｅの眼底を立体的に観察及び撮影するための眼底カメラを具体例として説明をしたが、眼底の立体観察を行うための立体眼底観察装置や、立体撮影を行うための立体眼底観察装置に上述の構成を適用することが可能である。
【００７６】
本発明に係る立体眼底観察装置は、上述の制御系に加え、照明光学系１０と観察光学系３０（撮影光学系２０との共用部分を含む）とを用いて構成することができる。このような立体眼底観察装置によれば、検者は、正確な凹凸状態の眼底像を正立像として観察することができるため、眼底所見のカルテ記載時の記載ミスや、固視灯を用いて被検眼を誘導する際の操作の混乱を招くことがない。
【００７７】
また、本発明に係る立体眼底撮影装置は、上述の制御系に加え、照明光学系１０及び観察光学系３０、更にはフレームメモリ２００及びモニター３００を用いて構成することができる。このような立体眼底撮影装置によれば、検者の左眼、右眼により観察される眼底像に相当する画像をそれぞれ撮影することができ、これら２つの画像を並列してモニター表示することが可能である。また、これら２つの画像を合成処理して立体像を形成することも可能である。したがって、眼科医等による診断に好適に利用することができる。
【００７８】
以上に説明した構成は、本発明を実施するための構成の一例に過ぎない。したがって、本発明が示す範囲内においてあらゆる変形や変更、追加等を施すことが可能である。
【産業上の利用可能性】
【００７９】
本発明の構成は、対象物の観察及び／又は撮影を立体的に行うためのあらゆる立体観察装置、立体撮影装置に適宜利用することができる。本発明の構成を利用することにより、対象物の好適な立体観察及び／又は立体撮影を行うことが可能となる。また、左右別個の撮影光学系を有する立体観察装置に本発明の構成を用いれば、装置の小型化、低コスト化を図ることができる。
【図面の簡単な説明】
【００８０】
【図１】本発明に係る立体眼底観察装置及び立体眼底撮影装置の一例である眼底カメラの光学系の構成を示す概略側面図である。
【図２】本発明に係る立体眼底観察装置及び立体眼底撮影装置の一例である眼底カメラに設けられた穴あきミラー及び絞り遮蔽手段の構成の概略を示す拡大側面図である。
【図３】本発明に係る立体眼底観察装置及び立体眼底撮影装置の一例である眼底カメラに設けられた絞り遮蔽手段の動作形態を説明するための図である。絞り遮蔽手段は、時系列に沿って、図３（Ａ）、図３（Ｂ）、そして図３（Ｃ）の順に動作する。
【図４】本発明に係る立体眼底観察装置及び立体眼底撮影装置の一例である眼底カメラに設けられた観察光束遮蔽手段について説明するための図である。図４（Ａ）は、観察光束遮蔽手段の構成の概略を示す側面図である。図４（Ｂ）は、観察光束遮蔽手段の動作形態を説明するための図である。
【図５】本発明に係る立体眼底観察装置及び立体眼底撮影装置の一例である眼底カメラに設けられた観察光束遮蔽手段について説明するための図である。図５（Ａ）は、観察光束遮蔽手段及び観察光学系の構成の概略を示す上面図である。図５（Ｂ）は、観察光束遮蔽手段の動作形態を説明するための図である。
【図６】本発明に係る立体眼底観察装置及び立体眼底撮影装置の一例である眼底カメラの制御系の構成の概略を示すブロック図である。
【図７】本発明に係る立体眼底観察装置及び立体眼底撮影装置の一例である眼底カメラの撮影光学系の要部の構成及び照明光束の被検眼の眼底による反射光束の光路を示す概略上面図である。
【図８】本発明に係る立体眼底観察装置及び立体眼底撮影装置の一例である眼底カメラの変形例の構成を示す概略上面図である。
【図９】本発明に係る立体眼底観察装置及び立体眼底撮影装置の一例である眼底カメラの変形例の構成を示す概略図である。
【図１０】本発明に係る立体眼底観察装置及び立体眼底撮影装置の一例である眼底カメラの変形例の構成を示す概略図である。
【符号の説明】
【００８１】
１０  照明光学系
１１  照明用ランプ
１２  撮影用キセノンランプ
１３、１４  コンデンサーレンズ
１５  斜設ハーフミラー
１６  照明絞り
１７  リレーレンズ
１８  反射ミラー
１９  コンデンサーレンズ
２０  撮影光学系
２０Ａ  フィルム（撮影媒体）
２０Ｂ  ＣＣＤ（撮影媒体）
２１  対物レンズ
２２  穴あきミラー
２３  遮蔽手段（絞り遮蔽手段）
２４  合焦レンズ
２５  クイックリターンミラー
２６  結像レンズ
２７  クイックリターンミラー
２８  焦点板
２９  ＴＶレンズ
４０  二孔絞り
３０  観察光学系
３１  結像レンズ
３２  プリズム
３３  光束分割プリズム（観察光束分割手段）
３４  遮蔽手段（観察光束遮蔽手段）
３５（３５Ｌ、３５Ｒ）  プリズム
３６（３６Ｌ、３６Ｒ）  焦点板
３７（３７Ｌ、３７Ｒ）  接眼レンズ
【図１】
2005095474.tif 000003
【図２】
2005095474.tif 000004
【図３】
2005095474.tif 000005
【図４】
2005095474.tif 000006
【図５】
2005095474.tif 000007
【図６】
2005095474.tif 000008
【図７】
2005095474.tif 000009
【図８】
2005095474.tif 000010
【図９】
2005095474.tif 000011
【図１０】
2005095474.tif 000012